(57)【要約】本発明は、一般的に家庭に設置されている単純な構造の電源スイッチにオン／オフ（ＯＮ／ＯＦＦ）にする反復動作を用いてＬＥＤランプのディミング制御又はムード照明制御を可能にし、高価なディミングスイッチ又はムード照明設備などの付随的な工事が不要なエネルギー節約型ＬＥＤランプに関する。【選択図】図２
2013512544.tif 000002
【特許請求の範囲】
【請求項１】
光を発光するＬＥＤモジュールと、
前記ＬＥＤモジュールに供給される交流電源をオン／オフ（ＯＮ／ＯＦＦ）にする電源スイッチと、
前記電源スイッチがオン（ＯＮ）になった状態で供給される交流電源を直流に切り替える電源スイッチング部と、
前記電源スイッチング部に連結され、前記電源スイッチがオン（ＯＮ）になった状態で供給された電源を充電する充電部と、
前記充電部に連結され、前記電源スイッチのオン／オフ（ＯＮ／ＯＦＦ）切替周期及びオン／オフ（ＯＮ／ＯＦＦ）切替反復回数を感知するタイマー部と、
前記電源スイッチング部及び充電部にそれぞれ連結され、前記タイマー部から提供される前記電源スイッチのオン／オフ（ＯＮ／ＯＦＦ）切替周期及び反復回数によって前記ＬＥＤモジュールの明るさを制御する制御部と、を含む電源スイッチを用いたディミング機能を有するエネルギー節約型ＬＥＤランプ。
【請求項２】
前記制御部には、
設定された周期内で行われる前記電源スイッチのオン／オフ（ＯＮ／ＯＦＦ）切替反復回数によって前記ＬＥＤモジュールの明るさを設定するプログラムが内蔵されることを特徴とする、請求項１に記載の電源スイッチを用いたディミング機能を有するエネルギー節約型ＬＥＤランプ。
【請求項３】
前記タイマー部は、
前記電源スイッチがオフ（ＯＦＦ）になった状態で設定された周期内で前記電源スイッチのオン（ＯＮ）動作が行われないと、前記制御部に電源のオフ信号を伝達し、
設定された周期内で前記電源スイッチのオン／オフ（ＯＮ／ＯＦＦ）動作が反復されると、その回数及び周期を前記制御部に伝達することを特徴とする、請求項１に記載の電源スイッチを用いたディミング機能を有するエネルギー節約型ＬＥＤランプ。
【請求項４】
前記充電部は、
前記電源スイッチがオフ（ＯＦＦ）になった状態で前記制御部及びタイマー部に一定時間電源を供給することを特徴とする、請求項１に記載の電源スイッチを用いたディミング機能を有するエネルギー節約型ＬＥＤランプ。
【請求項５】
前記タイマー部と制御部によって伝達される前記電源スイッチのオン／オフ（ＯＮ／ＯＦＦ）切替周期及び回数によってディミング信号を発生させるディミング回路部がさらに備えられることを特徴とする、請求項１に記載の電源スイッチを用いたディミング機能を有するエネルギー節約型ＬＥＤランプ。
【請求項６】
光を発光するＬＥＤモジュールと、
前記ＬＥＤモジュールに供給される電源をオン／オフ（ＯＮ／ＯＦＦ）にする電源スイッチと、
前記電源スイッチがオン（ＯＮ）になった状態で供給される電源を前記ＬＥＤモジュールに適した電流に切り替える電源スイッチング部と、
前記電源スイッチング部に連結され、前記電源スイッチがオン（ＯＮ）になった状態で供給された電源を充電する充電部と、
前記充電部に連結され、前記電源スイッチのオン／オフ（ＯＮ／ＯＦＦ）切替周期及びオン／オフ（ＯＮ／ＯＦＦ）切替反復回数を感知するタイマー部と、
前記電源スイッチング部、タイマー部及び充電部にそれぞれ連結され、前記タイマー部から提供される前記電源スイッチのオン／オフ（ＯＮ／ＯＦＦ）切替周期及び反復回数によって定められるムード照明モードによって前記ＬＥＤモジュールを制御する制御部と、を含む電源スイッチを用いたムード照明調節機能を有するエネルギー節約型ＬＥＤランプ。
【請求項７】
前記制御部には、
設定された周期内で行われる前記電源スイッチのオン／オフ（ＯＮ／ＯＦＦ）切替反復回数によって前記ＬＥＤモジュールの明るさ又は色相を決定するムード照明プログラムが内蔵されることを特徴とする、請求項６に記載の電源スイッチを用いたムード照明調節機能を有するエネルギー節約型ＬＥＤランプ。
【請求項８】
前記タイマー部は、
前記電源スイッチがオフ（ＯＦＦ）になった状態で設定された周期内で前記電源スイッチのオン（ＯＮ）動作が行われないと、前記制御部に電源のオフ（ＯＦＦ）信号を伝達し、
設定された周期内で前記電源スイッチのオン／オフ（ＯＮ／ＯＦＦ）動作が反復されると、その回数及び周期を前記制御部に伝達することを特徴とする、請求項６に記載の電源スイッチを用いたムード照明調節機能を有するエネルギー節約型ＬＥＤランプ。
【請求項９】
前記充電部は、
前記電源スイッチがオフ（ＯＦＦ）になった状態で前記制御部及びタイマー部に一定時間電源を供給することを特徴とする、請求項６に記載の電源スイッチを用いたムード照明調節機能を有するエネルギー節約型ＬＥＤランプ。
【請求項１０】
前記タイマー部と制御部によって伝達される前記電源スイッチのオン／オフ（ＯＮ／ＯＦＦ）切替周期及び回数によってムード照明調節信号を発生させるムード照明信号発生回路部がさらに備えられることを特徴とする、請求項６に記載の電源スイッチを用いたムード照明調節機能を有するエネルギー節約型ＬＥＤランプ。
【請求項１１】
ＬＥＤランプにおいて、
外部電源を調節する電源スイッチを通して前記ＬＥＤランプに供給された交流電源を直流に切り替える電源スイッチング部に連結され、前記電源スイッチがオン（ＯＮ）になった状態で供給された電源を充電する充電部と、
前記充電部及び前記ＬＥＤランプに連結され、前記電源スイッチのオン／オフ（ＯＮ／ＯＦＦ）切替周期及びオン／オフ（ＯＮ／ＯＦＦ）切替反復回数を感知し、前記ＬＥＤランプの明るさを制御する制御部と、を含む電源スイッチを用いたディミング機能を有するエネルギー節約型ＬＥＤランプ。
【請求項１２】
前記制御部には、
設定された周期内で行われる前記電源スイッチのオン／オフ（ＯＮ／ＯＦＦ）切替反復回数をディミング制御信号として認識し、前記ディミング制御信号によって前記ＬＥＤモジュールの明るさを設定するプログラムが内蔵されることを特徴とする、請求項１１に記載の電源スイッチを用いたディミング機能を有するエネルギー節約型ＬＥＤランプ。
【請求項１３】
前記制御部は、
前記充電部及び前記電源スイッチに連結され、前記電源スイッチのオン／オフ（ＯＮ／ＯＦＦ）切替周期及びオン／オフ（ＯＮ／ＯＦＦ）切替反復回数を感知するタイマー部をさらに備えており、
前記電源スイッチがオフ（ＯＦＦ）になった状態で予め設定された周期内で前記電源スイッチのオン（ＯＮ）動作が行われないと、これを電源のオフ信号として認識し、
予め設定された周期内で前記電源スイッチのオン／オフ（ＯＮ／ＯＦＦ）動作が反復されると、その回数及び周期に該当するディミング制御信号として認識することを特徴とする、請求項１１に記載の電源スイッチを用いたディミング機能を有するエネルギー節約型ＬＥＤランプ。
【請求項１４】
前記電源スイッチのオン／オフ（ＯＮ／ＯＦＦ）切替周期及び回数によってディミング制御信号を発生させるディミング回路部がさらに備えられることを特徴とする、請求項１３に記載の電源スイッチを用いたディミング機能を有するエネルギー節約型ＬＥＤランプ。
【請求項１５】
前記充電部は、
前記電源スイッチがオフ（ＯＦＦ）になった状態で前記制御部に一定時間電源を供給することを特徴とする、請求項１１に記載の電源スイッチを用いたディミング機能を有するエネルギー節約型ＬＥＤランプ。
【請求項１６】
ＬＥＤランプにおいて、
外部電源を調節する電源スイッチを通して供給された交流電源を直流に切り替える電源スイッチング部に連結され、前記電源スイッチがオン（ＯＮ）になった状態で供給された電源を充電する充電部と、
前記充電部及び前記ＬＥＤランプに連結され、前記電源スイッチのオン／オフ（ＯＮ／ＯＦＦ）切替周期及び反復回数によって定められるムード照明モードによって前記ＬＥＤランプを制御する制御部と、を含む電源スイッチを用いたムード照明調節機能を有するエネルギー節約型ＬＥＤランプ。
【請求項１７】
前記制御部には、
設定された周期内で行われる前記電源スイッチのオン／オフ（ＯＮ／ＯＦＦ）切替反復回数によって前記ＬＥＤモジュールの明るさ又は色相を決定するムード照明プログラムが内蔵されることを特徴とする、請求項１５に記載の電源スイッチを用いたムード照明調節機能を有するエネルギー節約型ＬＥＤランプ。
【請求項１８】
前記制御部は、
前記充電部及び前記電源スイッチに連結され、前記電源スイッチのオン／オフ（ＯＮ／ＯＦＦ）切替周期及びオン／オフ（ＯＮ／ＯＦＦ）切替反復回数を感知するタイマー部をさらに備えており、
前記電源スイッチがオフ（ＯＦＦ）になった状態で設定された周期内で前記電源スイッチのオン（ＯＮ）動作が行われないと、これを電源のオフ（ＯＦＦ）信号として認識し、
設定された周期内で前記電源スイッチのオン／オフ（ＯＮ／ＯＦＦ）動作が反復されると、その回数及び周期をムード照明調節信号として認識することを特徴とする、請求項１６に記載の電源スイッチを用いたムード照明調節機能を有するエネルギー節約型ＬＥＤランプ。
【請求項１９】
前記タイマー部と制御部によって伝達される前記電源スイッチのオン／オフ（ＯＮ／ＯＦＦ）切替周期及び回数によってムード照明調節信号を発生させるムード照明信号発生回路部がさらに備えられることを特徴とする、請求項１８に記載の電源スイッチを用いたムード照明調節機能を有するエネルギー節約型ＬＥＤランプ。
【請求項２０】
前記充電部は、
前記電源スイッチがオフ（ＯＦＦ）になった状態で前記制御部に一定時間電源を供給することを特徴とする、請求項１６に記載の電源スイッチを用いたムード照明調節機能を有するエネルギー節約型ＬＥＤランプ。
【発明の詳細な説明】
【技術分野】
【０００１】
本発明は、電源スイッチを用いたディミング機能又はムード照明調節機能を有するエネルギー節約型ＬＥＤランプに関し、より詳細には、一般的に建物に設置されている単純な構造の電源スイッチをオン／オフ（ＯＮ／ＯＦＦ）にする反復動作を用いてＬＥＤランプのディミング制御又はムード照明制御を可能にし、高価なディミングスイッチ又はムード照明設備などの付随的な工事が不要なエネルギー節約型ＬＥＤランプに関する。
【背景技術】
【０００２】
人が日常的に経験する情報の７０％は、視覚によって得られると知られている。視覚を通して認知された各物体の色は、人の情緒及び経験に大きく作用する。すなわち、特定の色を通して過去の記憶を回想したり、ある感情が誘発される。したがって、日常生活で物体の色を決定できる照明の色相は、人の情緒において非常に重要である。そして、照明環境は、作業者の脳波を変化させ得るので、照明色温度は、作業者の疲労度に直接的な影響を及ぼすと見なしている。（Ｌｉｍ  Ｓｕｋ−ｋｉら「照明の色温度による作業者の疲労度評価」Ｋｏｒｅａｎ  Ｓｏｃｉｅｔｙ  ｆｏｒ  Ｅｍｏｔｉｏｎ  ａｎｄ  Ｓｅｎｓｉｂｉｌｉｔｙ  Ｊｏｕｒｎａｌ，２００１年）
このような医学的研究を通して、過度に明るいか暗い照明及び色相が人の感性や肉体に多くの影響を与えることが明らかになったように、照明は、人に安楽を与えることができ、業務効率を増大させることもある。
【０００３】
したがって、このような照明の感性刺激機能を考慮して、最近は、単純な視覚情報を提供する機能のみならず、人間の感性を刺激可能な多様な色相の光を提供できる照明に対する研究が多様に行われている。また、色相及び照度に対して感じる感性が人によって異なり得るので、ユーザー自身が望む雰囲気の照明を自由かつ容易に演出できる照明装置が要求されている。
【０００４】
一般に、建築物の室内照明装置としては、代表的に蛍光灯又はハロゲン、白熱灯などが天井や壁体に備えられて具現される。このような蛍光灯又はハロゲン灯は、室内灯として普遍的なものである一方、消費電力が大きく、主に単色の照明のみを提供するという短所を有する。
【０００５】
このような高い消費電力及び照明の単調さを解決するために、最近は、蛍光灯又はハロゲン灯などに比べて低い消費電力で多様な色相の照明を演出できるようにしたＬＥＤ（Ｌｉｇｈｔ  Ｅｍｉｔｔｉｎｇ  Ｄｉｏｄｅ）ランプが開発されて使用されている。
【０００６】
一般に、ＬＥＤは、半導体製造工程を用いて製作される発光素子であって、消費電力が低く、寿命が半永久的で、多様な色相を表現できるという長所を有しているので、最近、その適用分野が大幅に拡大されており、既存の蛍光灯又は白熱灯などに早い速度で取って代わっている。
【０００７】
ところが、このような優れたＬＥＤランプを用いて、上述したようにユーザーが望む多様な雰囲気の照度及び色相の照明を演出するためには、単純に照明ランプを取り替えるのではなく、ムード照明機能を具現するための別途のスイッチ又は制御装置を備えなければならないという問題がある。
【０００８】
一方、このような長所を有するＬＥＤランプに対しても、白熱灯や蛍光灯の場合と同様に、単純に照明をオン／オフ（ＯＮ／ＯＦＦ）にするだけでなく、ディミングを調節できる機能に対する要求が大きくなっている。したがって、ＬＥＤランプに対してディミング調節を行える多様な方法が提示されている。例えば、ディミングコントローラーでローカル制御又はリモートコントローラーを使用して、ユーザーの操作によって段階別又は連続的にディミングを行う方法がある。
【０００９】
また、ＬＥＤランプにおいて具体的な照明電力を調節する方法としては、ランプに供給される電圧を可変にしたり、位相制御を通して明るさを調節する方法がある。電圧を可変にする方法としては、Ａ／Ｄコンバータを使用してトランスコイルを有する変圧器回路を経て交流を降圧する方式があり、この方式は、ＬＥＤモジュールに比べて相当な大きさのトランスコイルのためにＬＥＤモジュール自体が大型化されるという問題を有する。
【００１０】
一方、これを解消するために、ＳＭＰＳ（Ｓｗｉｔｃｈｉｎｇ  Ｍｏｄｅ  Ｐｏｗｅｒ  Ｓｕｐｐｌｙ）電源供給装置を使用して交流電源の周波数を直流電源の高い周波数に変更することによって、既存の変圧器に比べて小型化／軽量化されたコンバーティング回路が開発されているが、このＳＭＰＳは、相当多い電流容量を要求するのでエネルギー損失が大きく、相当高価な製品であるという問題を有する。
【００１１】
したがって、ＬＥＤランプに対してディミング機能を具現するためには、高価なディミング設備を備えなければならなく、既存の配線設備をそのまま用いることができないという問題がある。
【発明の概要】
【発明が解決しようとする課題】
【００１２】
本発明が解決しようとする技術的課題は、一般的に過程に設置されている既存の電源スイッチのオン／オフ（ＯＮ／ＯＦＦ）切替反復周期及び回数を用いてディミング制御又はムード照明制御が可能なエネルギー節約型ＬＥＤランプを提供し、別途のディミング用コントローラー、ディミング用ＬＥＤランプ、制御線又はムード照明設備などがなくても、既存の配線設備をそのまま使用しながら照明の明るさ又は色相をユーザーが容易に調節できるようにすることにある。
【課題を解決するための手段】
【００１３】
上述した技術的課題を達成するための本発明に係る電源スイッチを用いたディミング機能を有するエネルギー節約型ＬＥＤランプは、光を発光するＬＥＤモジュールと、前記ＬＥＤモジュールに供給される交流電源をオン／オフ（ＯＮ／ＯＦＦ）にする電源スイッチと、前記電源スイッチがオン（ＯＮ）になった状態で供給される交流電源を直流に切り替える電源スイッチング部と、前記電源スイッチング部に連結され、前記電源スイッチがオン（ＯＮ）になった状態で供給された電源を充電する充電部と、前記充電部に連結され、前記電源スイッチのオン／オフ（ＯＮ／ＯＦＦ）切替周期及びオン／オフ（ＯＮ／ＯＦＦ）切替反復回数を感知するタイマー部と、前記電源スイッチング部及び充電部にそれぞれ連結され、前記タイマー部から提供される前記電源スイッチのオン／オフ（ＯＮ／ＯＦＦ）切替周期及び反復回数によって前記ＬＥＤモジュールの明るさを制御する制御部とを含む。
【００１４】
本発明において、前記制御部には、予め設定された周期内で行われる前記電源スイッチのオン／オフ（ＯＮ／ＯＦＦ）切替反復回数によって前記ＬＥＤモジュールの明るさを設定するプログラムが内蔵されることが望ましい。
【００１５】
そして、前記タイマー部は、前記電源スイッチがオフ（ＯＦＦ）になった状態で設定された周期内で前記電源スイッチのオン（ＯＮ）動作が行われないと、前記制御部に電源のオフ（ＯＦＦ）信号を伝達し、設定された周期内で前記電源スイッチのオン／オフ（ＯＮ／ＯＦＦ）動作が反復されると、その回数及び周期を前記制御部に伝達することが望ましい。
【００１６】
また、前記充電部は、前記電源スイッチがオフ（ＯＦＦ）になった状態で前記制御部及びタイマー部に一定時間電源を供給することを特徴とする。
【００１７】
そして、ＬＥＤディミングランプには、前記タイマー部と制御部によって伝達される前記電源スイッチのオン／オフ（ＯＮ／ＯＦＦ）切替周期及び回数によってディミング信号を発生させるディミング回路部がさらに備えられることが望ましい。
【００１８】
本発明の他の観点に係る電源スイッチを用いたムード照明調節機能を有するエネルギー節約型ＬＥＤランプは、光を発光するＬＥＤモジュールと、前記ＬＥＤモジュールに供給される電源をオン／オフ（ＯＮ／ＯＦＦ）にする電源スイッチと、前記電源スイッチがオン（ＯＮ）になった状態で供給される電源を前記ＬＥＤモジュールに適した電流に切り替える電源スイッチング部と、前記電源スイッチング部に連結され、前記電源スイッチがオン（ＯＮ）になった状態で供給された電源を充電する充電部と、前記充電部に連結され、前記電源スイッチのオン／オフ（ＯＮ／ＯＦＦ）切替周期及びオン／オフ（ＯＮ／ＯＦＦ）切替反復回数を感知するタイマー部と、前記電源スイッチング部、タイマー部及び充電部にそれぞれ連結され、前記タイマー部から提供される前記電源スイッチのオン／オフ（ＯＮ／ＯＦＦ）切替周期及び反復回数によって定められるムード照明モードによって前記ＬＥＤモジュールを制御する制御部とを含む。
【００１９】
本発明で、前記制御部には、設定された周期内で行われる前記電源スイッチのオン／オフ（ＯＮ／ＯＦＦ）切替反復回数によって前記ＬＥＤモジュールの明るさ又は色相を決定するムード照明プログラムが内蔵されることを特徴とする。
【００２０】
そして、前記タイマー部は、前記電源スイッチがオフ（ＯＦＦ）になった状態で設定された周期内で前記電源スイッチのオン（ＯＮ）動作が行われないと、前記制御部に電源のオフ（ＯＦＦ）信号を伝達し、設定された周期内で前記電源スイッチのオン／オフ（ＯＮ／ＯＦＦ）動作が反復されると、その回数及び周期を前記制御部に伝達することを特徴とする。
【００２１】
また、前記充電部が、前記電源スイッチがオフ（ＯＦＦ）になった状態で前記制御部及びタイマー部に一定時間電源を供給すると、前記電源スイッチのオフ（ＯＦＦ）にもかかわらず前記制御部及びタイマー部が正常に稼動できるので望ましい。
【００２２】
そして、本発明のエネルギー節約型ＬＥＤランプには、前記タイマー部と制御部によって伝達される前記電源スイッチのオン／オフ（ＯＮ／ＯＦＦ）切替周期及び回数によってムード照明調節信号を発生させるムード照明信号発生回路部がさらに備えられることが望ましい。
【００２３】
本発明の更に他の観点に係る電源スイッチを用いたディミング機能を有するエネルギー節約型ＬＥＤランプは、ＬＥＤランプにおいて、外部電源を調節する電源スイッチを通して供給された交流電源を直流に切り替える電源スイッチング部に連結され、前記電源スイッチがオン（ＯＮ）になった状態で供給された電源を充電する充電部と、前記充電部及び前記ＬＥＤランプに連結され、前記電源スイッチのオン／オフ（ＯＮ／ＯＦＦ）切替周期及びオン／オフ（ＯＮ／ＯＦＦ）切替反復回数を感知し、前記ＬＥＤランプの明るさを制御する制御部とを含むことを特徴とする。
【００２４】
そして、前記制御部には、設定された周期内で行われる前記電源スイッチのオン／オフ（ＯＮ／ＯＦＦ）切替反復回数をディミング制御信号として認識し、前記ディミング制御信号によって前記ＬＥＤモジュールの明るさを設定するプログラムが内蔵されることが望ましい。
【００２５】
また、前記制御部は、前記充電部及び前記電源スイッチに連結され、前記電源スイッチのオン／オフ（ＯＮ／ＯＦＦ）切替周期及びオン／オフ（ＯＮ／ＯＦＦ）切替反復回数を感知するタイマー部をさらに備えており、前記電源スイッチがオフ（ＯＦＦ）になった状態で予め設定された周期内で前記電源スイッチのオン（ＯＮ）動作が行われないと、これを電源のオフ信号として認識し、予め設定された周期内で前記電源スイッチのオン／オフ（ＯＮ／ＯＦＦ）動作が反復されると、その回数及び周期に該当するディミング制御信号として認識することが望ましい。
【００２６】
ＬＥＤディミングランプには、さらに前記電源スイッチのオン／オフ（ＯＮ／ＯＦＦ）切替周期及び回数によってディミング制御信号を発生させるディミング回路部がさらに備えられることが望ましい。
【００２７】
そして、前記充電部は、前記電源スイッチがオフ（ＯＦＦ）になった状態で前記制御部に一定時間電源を供給し、前記制御部が電源遮断状態でも正常に動作できるようにし、前記電源スイッチのオン／オフ動作をディミング制御信号として認識できるようにする。
【００２８】
一方、本発明の更に他の観点に係るムード照明調節機能を有するエネルギー節約型ＬＥＤランプは、ＬＥＤランプにおいて、外部電源を調節する電源スイッチを通して供給された交流電源を直流に切り替える電源スイッチング部に連結され、前記電源スイッチがオン（ＯＮ）になった状態で供給された電源を充電する充電部と、前記充電部及び前記ＬＥＤランプに連結され、前記電源スイッチのオン／オフ（ＯＮ／ＯＦＦ）切替周期及び反復回数によって定められるムード照明モードによって前記ＬＥＤランプを制御する制御部とを含むことを特徴とする。
【００２９】
本発明において、前記制御部には、設定された周期内で行われる前記電源スイッチのオン／オフ（ＯＮ／ＯＦＦ）切替反復回数によって前記ＬＥＤモジュールの明るさ又は色相を決定するムード照明プログラムが内蔵されることが望ましい。
【００３０】
そして、前記制御部は、前記充電部及び前記電源スイッチに連結され、前記電源スイッチのオン／オフ（ＯＮ／ＯＦＦ）切替周期及びオン／オフ（ＯＮ／ＯＦＦ）切替反復回数を感知するタイマー部をさらに備えており、前記電源スイッチがオフ（ＯＦＦ）になった状態で設定された周期内で前記電源スイッチのオン（ＯＮ）動作が行われないと、これを電源のオフ（ＯＦＦ）信号として認識し、設定された周期内で前記電源スイッチのオン／オフ（ＯＮ／ＯＦＦ）動作が反復されると、その回数及び周期をムード照明調節信号として認識することが望ましい。
【００３１】
また、ＬＥＤランプには、前記タイマー部と制御部によって伝達される前記電源スイッチのオン／オフ（ＯＮ／ＯＦＦ）切替周期及び回数によってムード照明調節信号を発生させるムード照明信号発生回路部がさらに備えられることが望ましい。
【００３２】
そして、前記充電部は、前記電源スイッチがオフ（ＯＦＦ）になった状態で前記制御部に一定時間電源を供給し、前記制御部が電源オフ状態でも正常に作動できるようにすることを特徴とする。
【発明の効果】
【００３３】
本発明によると、ＬＥＤランプは一般的に建物に設置されている既存の電源スイッチをそのまま用いるので、別途のディミング又はムード照明制御のための設備の付加的な設置がなくても、ディミング機能又はムード照明制御が可能なＬＥＤランプを使用できるという効果がある。したがって、別途追加の設置費用が発生せず、既存の高エネルギー消耗型電球を環境にやさしい高エネルギー消費型ＬＥＤランプに取り替えることができる。
【００３４】
すなわち、本発明のＬＥＤランプは、低電力消耗効果を有し、及び長寿命によるメンテナンス費用の大幅節減効果などによって国家のグリーン成長政策に対応するだけでなく、京都議定書による温室ガス削減に従った、二酸化炭素排出量削減にも貢献することができる。
【００３５】
さらに、本発明では、電源スイッチを用いてディミング機能及びムード照明制御機能を具現できるので、一般的なＬＥＤランプに比べて優れたエネルギー節減効果を得ることができ、単純にランプのみを取り替えることによってディミング機能及びムード照明制御機能も具現できるので、ランプ取替え工事が容易になるという効果もある。
【図面の簡単な説明】
【００３６】
本発明の、上記及び他の態様、特徴および利点は、添付の図面と共に以下の詳細な説明から明らかになるであろう。
【図１】本発明の一実施例に係る既存の電源スイッチを用いたエネルギー節約型ＬＥＤランプの構成を示す構成図である。
【図２】本発明の一実施例に係るＬＥＤランプの構成を示すブロック図である。
【図３】本発明の一実施例に係る既存の電源スイッチを用いたエネルギー節約型ＬＥＤランプの構成を示す構成図である。
【図４】本発明の他の実施例に係るＬＥＤランプの構成を示すブロック図である。
【発明を実施するための形態】
【００３７】
以下では、添付の図面を参照して本発明の具体的な各実施例を詳細に説明する。
【実施例１】
【００３８】
本実施例に係る電源スイッチを用いたディミング機能を有するエネルギー節約型ＬＥＤランプ１００においては、図１に示したように、現在、一般的な建物における一般的な電源スイッチ１０が設置されている配線構造でもディミング機能が可能である。ここで、一般的な電源スイッチ１０とは、一般的にデスクランプ、または家庭、ビル、ホテル、工場などにおいて照明用スタンドなどに設置され、単純に外部から供給される交流電源を断続するオン／オフ（ＯＮ／ＯＦＦ）機能のみが可能な単純な構造のスイッチをいう。例えば、一般的な電源スイッチ１０は、一般照明スイッチ、スタンド用照明スイッチ、ムード照明スイッチ、タッチ照明スイッチなどのように、家庭、ビル、ホテル、その他附帯施設に設置されている一般的な電源供給オン／オフ（ＯＮ／ＯＦＦ）用スイッチを含む。
【００３９】
本実施例に係るディミング機能が内蔵されたエネルギー節約型ＬＥＤランプ１００は、図１及び図２に示したように、ＬＥＤモジュール１９０、電源スイッチング部１３０、充電部１６０、タイマー部１７０及び制御部１５０を含んで構成される。
【００４０】
まず、前記ＬＥＤモジュール１９０は、一般的なＬＥＤチップを用いたＬＥＤ発光モジュールであり、現在開発されている多様なＬＥＤモジュールが全て使用可能である。このＬＥＤモジュール１９０は、蛍光灯型又は面光源型などの多様な形状に具現されることもある。
【００４１】
次に、電源スイッチング部１３０は、前記電源スイッチ１０がオン（ＯＮ）になった状態で外部から供給される交流電源を直流に切り替える構成要素である。この電源スイッチング部１３０も、一般的に交流電源を直流電源に切り替えることのできる多様な構造を有することができ、例えば、一般的な変圧器方式、ＳＭＰＣ、ＡＣ専用、ＤＣ専用又は多数のＬＥＤを使用した並列回路駆動方式などがあり得る。
【００４２】
一方、本実施例に係るエネルギー節約型ＬＥＤランプ１００では、図２に示したように、前記電源スイッチング部１３０の前後端にそれぞれ１、２次ＥＭＩフィルター部１２０、１４０が設置され、電磁波を遮断することも可能であり、別途にヒューズ部１１０がさらに備えられることもある。
【００４３】
次に、前記充電部１６０は、前記電源スイッチング部１３０に連結され、前記電源スイッチ１０がオン（ＯＮ）になった状態で供給された電源を充電する構成要素である。本実施例に係るディミング機能を有するエネルギー節約型ＬＥＤランプ１００では、電源スイッチ１０のオン／オフ（ＯＮ／ＯＦＦ）反復動作を用いてディミング機能を実現するので、前記電源スイッチ１０がオフ（ＯＦＦ）になって電源遮断状態であっても、前記制御部１５０、タイマー部１７０などが正常に作動しなければならない。したがって、前記充電部１６０で前記電源スイッチ１０がオン（ＯＮ）になった状態で一定量の電源を予め充電した状態で待機しながら、前記電源スイッチ１０がオフ（ＯＦＦ）になった状態で前記制御部１５０及びタイマー部１７０などに電源を供給し、前記制御部１５０、タイマー部１７０などを正常に作動させる。この充電部１６０は、一般的に電源を反復的に充電できる二次電池として構成することができる。
【００４４】
次に、タイマー部１７０は、前記充電部１６０に連結され、前記電源スイッチ１０のオン／オフ（ＯＮ／ＯＦＦ）切替周期及びオン／オフ（ＯＮ／ＯＦＦ）切替反復回数を感知し、感知された情報を前記制御部１５０及び後述するディミング回路部１８０に伝達する構成要素である。具体的に、このタイマー部１７０は、一定周期内の前記電源スイッチ１０の電源オン動作および電源オフ動作の時間差に基づいて一定周期内のオン／オフ（ＯＮ／ＯＦＦ）切替周期を感知し、予め設定された一定周期内で前記電源スイッチ１０のオン／オフ（ＯＮ／ＯＦＦ）動作が反復的に発生する場合、その回数を感知する。前記タイマー部１７０は、は感知された周期及び反復回数を前記制御部１５０に伝送する。
【００４５】
一方、前記タイマー部１７０は、前記電源スイッチ１０がオフ（ＯＦＦ）になった状態で設定された周期内で前記電源スイッチ１０のオン（ＯＮ）動作が行われないと、これは単純にユーザーがＬＥＤランプをオフにすることを意味するので、前記制御部１５０に電源のオフ（ＯＦＦ）信号を伝達する。
【００４６】
次に、制御部１５０は、前記ＬＥＤモジュール１９０を駆動させる構成要素であって、一般的にＬＥＤランプに設置されるマイコンなどで具現することができる。そして、本実施例において、前記制御部１５０は、上述した一般的な機能の他に、ディミング機能、すなわち、図２に示したように、前記電源スイッチング部１３０及び充電部１６０にそれぞれ連結され、前記タイマー部１７０から提供される前記電源スイッチ１０のオン／オフ（ＯＮ／ＯＦＦ）切替周期及び反復回数によって前記ＬＥＤモジュール１９０の明るさを制御する機能も共に行う。
【００４７】
このために、本実施例では、前記制御部１５０に、予め設定された周期内で行われる前記電源スイッチ１０のオン／オフ（ＯＮ／ＯＦＦ）切替反復回数によって前記ＬＥＤモジュール１９０の明るさを設定するプログラムが内蔵される。このプログラムにしたがって前記タイマー部１７０から伝達されるオン／オフ（ＯＮ／ＯＦＦ）切替反復回数及び周期に対する情報を分析し、前記ＬＥＤランプの明るさ駆動を制御する。
【００４８】
そして、本実施例に係るディミング機能を有するエネルギー節約型ＬＥＤディミングランプ１００には、図２に示したように、前記タイマー部１７０と制御部１５０によって伝達される前記電源スイッチ１０のオン／オフ（ＯＮ／ＯＦＦ）切替周期及び回数によってディミング信号を発生させるディミング回路部１８０がさらに備えられることが望ましい。このディミング回路部１８０は、予め設定された電源スイッチ１０のオン／オフ（ＯＮ／ＯＦＦ）切替反復回数をタイマー部１７０と制御部１５０を通して認知し、前記制御部１５０にプログラミングされた方式どおりに反復回数による明るさを調整する。
【実施例２】
【００４９】
本実施例に係る電源スイッチを用いたムード照明調節機能を有するエネルギー節約型ＬＥＤランプ２００においては、図３に示したように、現在、一般的な建物における一般的な電源スイッチ１０が設置されている配線構造でもムード照明調節機能が可能である。ここで、一般的な電源スイッチ１０とは、単純に外部から供給される交流電源を断続するオン／オフ（ＯＮ／ＯＦＦ）機能のみが可能な電源スイッチをいう。例えば、一般的な電源スイッチ１０は、一般照明スイッチ、スタンド用照明スイッチ、ムード照明スイッチ、タッチ照明スイッチなどのように、家庭、ビル、ホテル、その他附帯施設に設置されている一般的な電源供給オン／オフ（ＯＮ／ＯＦＦ）用スイッチを含む。
【００５０】
本実施例に係るムード照明調節機能が内蔵されたエネルギー節約型ＬＥＤランプ２００は、図３及び図４に示したように、ＬＥＤモジュール２９０、電源スイッチング部２３０、充電部２６０、タイマー部２７０及び制御部２５０を含んで構成される。
【００５１】
まず、前記ＬＥＤモジュール２９０は、一般的なＬＥＤチップを用いたＬＥＤ発光モジュールであって、現在開発されている多様なＬＥＤモジュールが全て使用可能である。このＬＥＤモジュール２９０は、蛍光灯型又は面光源型などの多様な形状に具現されることもある。また、本実施例に係る前記ＬＥＤモジュール２９０は、互いに異なる色を発光する多数の種類のＬＥＤチップが多数実装され、一つのＬＥＤモジュール２９０で多様な照度及び色相を具現できる構造を有することが望ましい。
【００５２】
次に、電源スイッチング部２３０は、前記電源スイッチ１０がオン（ＯＮ）になった状態で外部から前記ＬＥＤランプに供給される電源を前記ＬＥＤモジュール２９０の駆動に適した電流に切り替える構成要素である。この電源スイッチング部２３０も、一般的に交流電源を直流電源に切り替えることのできる多様な構造を有することができ、例えば、一般的な変圧器方式、ＳＭＰＣ、ＡＣ専用、ＤＣ専用又は多数のＬＥＤを使用した並列回路駆動方式などがあり得る。
【００５３】
一方、本実施例に係るエネルギー節約型ＬＥＤランプ２００では、図４に示したように、前記電源スイッチング部２３０の前後端にそれぞれ１、２次ＥＭＩフィルター部２２０、２４０が設置され、電磁波を遮断することも可能であり、別途にヒューズ部２１０がさらに備えられることもある。
【００５４】
次に、前記充電部２６０は、前記電源スイッチング部２３０に連結され、前記電源スイッチ１０がオン（ＯＮ）になった状態で供給された電源を充電する構成要素である。本実施例に係るムード照明調節機能が内蔵されたエネルギー節約型ＬＥＤランプ２００では、電源スイッチ１０のオン／オフ（ＯＮ／ＯＦＦ）反復動作を用いてムード照明調節機能を実現するので、前記電源スイッチ１０がオフ（ＯＦＦ）になって電源遮断状態であっても、前記制御部２５０、タイマー部２７０などが正常に作動しなければならない。したがって、前記充電部２６０で前記電源スイッチ１０がオン（ＯＮ）になった状態で一定量の電源を予め充電した状態で待機しながら、前記電源スイッチ１０がオフ（ＯＦＦ）になった状態で前記制御部２５０及びタイマー部２７０などに電源を供給し、前記制御部２５０、タイマー部２７０などを正常に作動させる。この充電部２６０は、一般的に電源を反復的に充電できる二次電池として構成することができる。
【００５５】
次に、タイマー部２７０は、前記充電部２６０に連結され、前記電源スイッチ１０のオン／オフ（ＯＮ／ＯＦＦ）切替周期及びオン／オフ（ＯＮ／ＯＦＦ）切替反復回数を感知し、感知された情報を前記制御部２５０及び後述するムード照明信号発生回路部２８０に伝達する構成要素である。具体的に、このタイマー部２７０は、一定周期内の前記電源スイッチ１０の電源オン動作および電源オフ動作の時間差に基づいて一定周期内のオン／オフ（ＯＮ／ＯＦＦ）切替周期を感知し、予め設定された一定周期内で前記電源スイッチ１０のオン／オフ（ＯＮ／ＯＦＦ）動作が反復的に発生する場合、その回数を感知する。そして、前記タイマー部２７０は感知された周期及び反復回数を前記制御部２５０に伝送する。
【００５６】
一方、前記タイマー部２７０は、前記電源スイッチ１０がオフ（ＯＦＦ）になった状態で設定された周期内で前記電源スイッチ１０のオン（ＯＮ）動作が行われないと、これは単純にユーザーがＬＥＤランプをオフにしたいということを意味するので、前記制御部２５０に電源のオフ（ＯＦＦ）信号を伝達する。
【００５７】
次に、制御部２５０は、前記ＬＥＤモジュール２９０を駆動させる構成要素であって、一般的にＬＥＤランプに設置されるマイコンなどで具現することができる。そして、本実施例で、前記制御部２５０は、上述した一般的な機能の他に、 ムード照明調節機能、すなわち、図４に示したように、前記電源スイッチング部２３０、タイマー部２７０及び充電部２６０にそれぞれ連結され、前記タイマー部２７０から提供される前記電源スイッチのオン／オフ（ＯＮ／ＯＦＦ）切替周期及び反復回数によって前記ＬＥＤモジュール２９０の明るさ及び色相を制御するムード照明調節機能も共に行う。
【００５８】
このために、本実施例では、前記制御部２５０に、予め設定された周期内で行われる前記電源スイッチ１０のオン／オフ（ＯＮ／ＯＦＦ）切替反復回数によって前記ＬＥＤモジュール２９０の明るさ及び色相を設定するムード照明調節プログラムが内蔵される。このムード照明調節プログラムは、前記ＬＥＤモジュール２９０の明るさ及び色相を設定する多様な方式で具現可能であり、例えば、ユーザーが予め設定する照度及び色相を１０個以内のパターンで構成し、前記電源スイッチ１０のオン／オフ（ＯＮ／ＯＦＦ）切替反復回数と各パターンをマッチングさせることによって前記ＬＥＤモジュール２９０の明るさ及び色相を調節する方式があり得る。このように前記制御部２５０に搭載されているムード照明調節プログラムにしたがって前記タイマー部２７０から伝達されるオン／オフ（ＯＮ／ＯＦＦ）切替反復回数及び周期に対する情報を分析し、これに対応するパターンで前記ＬＥＤランプの明るさ及び色相を制御する。
【００５９】
そして、本実施例に係るムード照明調節機能が内蔵されたエネルギー節約型ＬＥＤランプ２００には、図４に示したように、前記タイマー部２７０と制御部２５０によって伝達される前記電源スイッチ１０のオン／オフ（ＯＮ／ＯＦＦ）切替周期及び回数によって決定されるムード照明パターンによってムード照明信号を発生させるムード照明信号発生回路部２８０がさらに備えられることが望ましい。このムード照明信号発生回路部２８０は、予め設定された電源スイッチ１０のオン／オフ（ＯＮ／ＯＦＦ）切替反復回数をタイマー部２７０と制御部２５０を通して認知し、前記制御部２５０にプログラミングされた方式どおりに反復回数に対応するムード照明パターンによってムード照明信号を発生させ、このムード照明信号によって前記ＬＥＤモジュール２９０の明るさ及び色相を調整する。
【００６０】
いくつかの実施例が図面と共に本発明を説明するために提示されたが、当業者にはこれらの実施例が単なる説明のためのものであることが明らかであり、さまざまな改善、変更、代替および同等の実施例が本発明の精神および範囲を逸脱せずになされることが可能である。本発明の範囲は添付の請求項によってのみ限定される。
【図１】
2013512544.tif 000003
【図３】
2013512544.tif 000004
【図２】
2013512544.tif 000005
【図４】
2013512544.tif 000006